(57)【特許請求の範囲】
【請求項１】
篭（１）にワイヤロープホイール（１１）が複数配され、前記ワイヤロープホイール（１１）にワイヤロープ（２）が巻いており、前記ワイヤロープ（２）は、一端が機械室の緊急避難装置（３）に連結され、他端が前記機械室内のモータホスト（４）を巻いて釣合錘（５）に連結されるエレベーター用補助避難装置において、
前記緊急避難装置（３）に動力源（３１）が配され、前記動力源（３１）の出力端（３１１）が減速ギア組（３２）と連動し、前記減速ギア組（３２）の外ギア（３２１）に応じて低速油圧シリンダー（３３）が配され、前記低速油圧シリンダー（３３）は、低速ギア（３３１）から偏心するように前記低速ギア（３３１）に枢着され、前記低速ギア（３３１）が前記減速ギア組（３２）の前記外ギア（３２１）と噛合い、前記減速ギア組（３２）の内ギア（３２２）がリール（３４）のギア（３４１）と噛合い、前記ワイヤロープ（２）が前記リール（３４）に巻き付けられて固定することを特徴とするエレベーター用補助避難装置。
【発明の詳細な説明】
【技術分野】
【０００１】
本発明は、エレベーター用補助避難装置に関し、特に、停電や故障などの原因でエレベーターが稼動できないときに、エレベーターを最寄の階層のエレベータードアに合せて停止して利用者がエレベーターの篭から脱出できるエレベーター用補助避難装置に関するものである。
【背景技術】
【０００２】
現在、人口がどんどん多くなるため、建築物の高さも高くなる。高い階層に着くことを容易にするために、建築物にエレベーターを設置することが一般になった。一般のエレベーターは、図５に示すように、エレベーターの篭６１の底面にワイヤロープ６２が巻き付けられているワイヤロープホイール６１１が複数設けられ、前記ワイヤロープ６２は、一端が固定端６３として機械室に固定され、他端がモータホスト６４を経由して釣合錘６５に連結され、モータホスト６４の駆動によりエレベーターの篭６１が上下に移動できる。
【０００３】
しかし、従来のエレベーターにより利用者が行きたい階層に着くことができるが、停電や故障などの原因でエレベーターが稼動できないときには、エレベーターの篭が二つの階層の間に急に停止する可能性があるため、エレベーターの篭内にいる利用者を容易に救出することができない。このとき、電力の供給を回復し、又は故障を排除しないと、エレベーターの篭は最寄の階層のエレベーターの階層に停止してドアを開けることができないため、救援が極めて不便であった。
【発明の概要】
【発明が解決しようとする課題】
【０００４】
本発明の主な目的は、停電や故障などの原因でエレベーターが稼動できないときに、エレベーターを最寄の階層のエレベータードアに合せて停止して利用者がエレベーターの篭から脱出できるエレベーター用補助避難装置を提供することにある。
【課題を解決するための手段】
【０００５】
本発明のエレベーター用補助避難装置によると、篭１にワイヤロープホイール１１が複数配され、前記ワイヤロープホイール１１にワイヤロープ２が巻いており、前記ワイヤロープ２は、一端が機械室の緊急避難装置３に連結され、他端が前記機械室内のモータホスト４を巻いて釣合錘５に連結されるエレベーター用補助避難装置において、
前記緊急避難装置３に動力源３１が配され、前記動力源３１の出力端３１１が減速ギア組３２と連動し、前記減速ギア組３２の外ギア３２１に応じて低速油圧シリンダー３３が配され、前記低速油圧シリンダー３３は、低速ギア３３１から偏心するように前記低速ギア３３１に枢着され、前記低速ギア３３１が前記減速ギア組３２の前記外ギア３２１と噛合い、前記減速ギア組３２の内ギア３２２がリール３４のギア３４１と噛合い、前記ワイヤロープ２が前記リール３４に巻き付けられて固定することを特徴とする。
【発明の効果】
【０００６】
本発明のエレベーター用補助避難装置によれば、停電や故障などの原因でエレベーターが稼動できないときに、エレベーターを最寄の階層のエレベータードアに合せて停止して利用者がエレベーターの篭から脱出できるという効果を有する。
【図面の簡単な説明】
【０００７】
【図１】本発明の全体の構成を示す斜視図である。
【図２】本発明の構成を示す斜視図である。
【図３】本発明の構成を示す断面図である。
【図４】本発明の使用状態を示す模式図である。
【図５】従来のものの構成を示す斜視図である。
【発明を実施するための最良の形態】
【０００８】
以下、本発明の実施の形態を図面に基づいて説明する。
まず、図１を参照する。図１は本発明の全体の構成を示す斜視図である。本発明のエレベーター用補助避難装置は、篭１の底面にワイヤロープ２が巻き付けられているワイヤロープホイール１１が複数設けられる。ワイヤロープ２は、一端が機械室の緊急避難装置３に連結され、他端が前記機械室内のモータホスト４を巻いて釣合錘５に連結される。
【０００９】
緊急避難装置３には、図２及び図３に示すように、動力源３１が配される。動力源３１の出力端３１１が減速ギア組３２と連動し、減速ギア組３２の外ギア３２１に応じて低速油圧シリンダー３３が配される。低速油圧シリンダー３３は、低速ギア３３１から偏心するように低速ギア３３１に枢着される。低速ギア３３１は減速ギア組３２の外ギア３２１と噛合う。低速ギア３３１に複数組の低速油圧シリンダー３３が配される。各組の低速油圧シリンダー３３の低速ギア３３１同士が互いに噛合い、これにより、篭１の重力が平均的に割り当てられる。減速ギア組３２の内ギア３２２がリール３４のギア３４１と噛合う。リール３４に応じて緩衝装置３５が配され、緩衝装置３５に弾性子３５１が配される。弾性子３５１により押上板３５２が押上げられて予定箇所に定位する。緩衝装置３５の外部に転向滑車３６が配される。転向滑車３６の下に押上滑車３７が配される。押上滑車３７にねじ軸３７１が連接されており、ねじ軸３７１により押上滑車３７の位置を調整することができる。、ワイヤロープ２は、押上滑車３７により外に押上げられて定位して、転向滑車３６を巻いて緩衝装置３５経由してリール３４に巻き付けられて固定する。ワイヤロープ２のリール３４に巻き付けられる長さは一階の高さに相当する。
【００１０】
正常の稼動中に、エレベーターは、モータホスト４によりワイヤロープ２が巻き取られ、或いは放出され、このとき、緊急避難装置３の動力源３１が静止状態にあるため、緊急避難装置３がワイヤロープ２の固定端になる。これにより、篭１は各階層のエレベータードアに精確に合せて停止することができる。
【００１１】
なお、停電または故障のときには、図４に示すように、モータホスト４の回転が停止することにより、篭１の墜落を防止できるが、篭１が二つの階層の間に停止する可能性がある。このとき、緊急避難装置３の動力源３１が稼動して、動力源３１の出力端３１１が減速ギア組３２を回転する。減速ギア組３２の外ギア３２１が低速油圧シリンダー３３の低速ギア３３１と噛合うため、低速油圧シリンダー３３により篭１の重力が平均的に割り当てられる。そうすると、減速ギア組３２の内ギア３２２がギア３４１に駆動されてリール３４を低速に回転して、リール３４に巻き付けられるワイヤロープ２が低速に放出されて、篭１を低速に降下する。篭１を低速に降下しているときには、緩衝装置３５の弾性子３５１が緩衝効果を有するため、篭１が最寄の階層のエレベータードアにあるセンサーまで降下したと、篭１の移動が停止する。そうすると、エレベータードアを開けて利用者を救出することができる。
【００１２】
また、電力の供給が回復され、或いは故障が排除された後、緊急避難装置３の動力源３１が逆方向に作動してリール３４がワイヤロープ２を巻き取って本来の状態に戻る。
【産業上の利用可能性】
【００１３】
本発明は、エレベーターに適用することができる。
【符号の説明】
【００１４】
１：篭
２：ワイヤロープ
３：緊急避難装置
４：モータホスト
５：釣合錘
１１：ワイヤロープホイール
３１：動力源
３２：減速ギア組
３３：低速油圧シリンダー
３４：リール
３５：緩衝装置
３６：転向滑車
３７：押上滑車
６１：篭
６２：ワイヤロープ
６３：固定端
６４：モータホスト
６５：釣合錘
３１１：出力端
３２１：外ギア
３２２：内ギア
３３１：低速ギア
３４１：ギア
３５１：弾性子
３５２：押上板
３７１：ねじ軸
６１１：ワイヤロープホイール
【図１】
0005276084.tif 000002
【図２】
0005276084.tif 000003
【図３】
0005276084.tif 000004
【図４】
0005276084.tif 000005
【図５】
0005276084.tif 000006